(57)【要約】【課題】複数の機能を有効に活用することができる画像形成装置を提供する。【解決手段】複数の機能を有し、該複数の機能の設定をするための表示部を備え、複数の機能の中から要求に応じて特定機能を一または複数選択可能な機能選択手段と、機能選択手段により選択された特定機能に関する情報を表示部に表示する機能表示手段と、を有した画像形成装置であって、特定機能に関する情報の表示に要するメモリ容量９３または時間の少なくともいずれか一方に基づいて、機能選択手段により特定機能が選択される。【選択図】図６
2008191452.tif 000002
【特許請求の範囲】
【請求項１】
複数の機能を有し、該複数の機能の設定をするための表示部を備え、
前記複数の機能の中から要求に応じて特定機能を一または複数選択可能な機能選択手段と、
該機能選択手段により選択された前記特定機能に関する情報を前記表示部に表示する機能表示手段とを備え、
前記特定機能に関する情報の表示に要するメモリ容量または時間の少なくともいずれか一方に基づいて、前記機能選択手段により前記特定機能が選択可能に構成されていることを特徴とする画像形成装置。
【請求項２】
選択された複数の前記特定機能に関する情報が、前記表示部に順次表示されることを特徴とする請求項１に記載の画像形成装置。
【請求項３】
前記機能表示手段により前記特定機能に関する情報が表示されている画面から、その特定機能に対応した設定画面に切り替える画面切替手段を有していることを特徴とする請求項１または２に記載の画像形成装置。
【請求項４】
前記画面切替手段は、前記表示部に表示された専用キーによる入力指示に基づいて実行可能に構成されていることを特徴とする請求項３に記載の画像形成装置。
【請求項５】
前記機能表示手段は、前記表示部および操作部を備えた操作表示装置を所定の時間操作しなかった場合に実行されることを特徴とする請求項１〜４のいずれかに記載の画像形成装置。
【請求項６】
前記機能選択手段の設定画面に、前記特定機能に関する情報の表示に要するメモリ容量または時間の少なくともいずれか一方が前記特定機能毎に表示されていることを特徴とする請求項１〜５のいずれかに記載の画像形成装置。
【請求項７】
前記機能選択手段の設定画面に、前記機能表示手段に利用可能なメモリ容量または時間の少なくともいずれか一方と、既に選択された前記特定機能に関する情報の表示に要するメモリ容量または時間との差分を表示可能に構成されていることを特徴とする請求項１〜６のいずれかに記載の画像形成装置。
【請求項８】
前記機能選択手段の設定画面に、前記特定機能が全て表示可能に構成され、該特定機能が利用頻度の低い順番に表示されることを特徴とする請求項１〜７のいずれかに記載の画像形成装置。
【発明の詳細な説明】
【技術分野】
【０００１】
本発明は、画像形成装置に関するものである。
【背景技術】
【０００２】
複写機などの画像形成装置は、複数の機能（例えば、用紙選択機能やコピー濃度設定機能など）を備えており、使用者はそれらの複数の機能の中から１ないし複数の機能を適宜選択して実行させることにより、所望の印刷物を得ることができる。
また、近年の画像形成装置は多機能化しており、画像形成装置が有する全ての機能を設定するためのキーを操作表示部に一括表示させることは困難であるために、各機能に対応付けられたカウンタを設け、所定期間内に選択された頻度の少ない機能を検出し、その機能のショートカットキーをショートカットキー表示部に表示させるものが知られている（例えば、特許文献１参照）。
【特許文献１】特開２００６−６５１４３号公報
【発明の開示】
【発明が解決しようとする課題】
【０００３】
ところで、上述の特許文献１の画像形成装置では、使用頻度の少ない機能のショートカットキーが表示されるものの、ショートカットキーに表示される文字数には限りがあり、ショートカットキー表示部に表示されている文字だけではその機能の内容を把握することができず、結局その機能を有効に活用することができないという虞があった。
【０００４】
そこで、本発明は、上記の事情を鑑みてなされたものであり、複数の機能を有効に活用することができる画像形成装置を提供することを目的とする。
【課題を解決するための手段】
【０００５】
上記の課題を解決するために、請求項１に記載した発明は、複数の機能を有し、該複数の機能の設定をするための表示部を備え、前記複数の機能の中から要求に応じて特定機能を一または複数選択可能な機能選択手段と、該機能選択手段により選択された前記特定機能に関する情報を前記表示部に表示する機能表示手段とを備え、前記特定機能に関する情報の表示に要するメモリ容量または時間の少なくともいずれか一方に基づいて、前記機能選択手段により前記特定機能が選択可能に構成されていることを特徴とする。
このように構成することで、選択された各特定機能に関しての設定方法などの情報を表示部に表示（デモンストレーション表示）することができると共に、予めデモンストレーション表示を実行するためのメモリ容量を装置本体で設定し、それに合わせて表示させる内容を設定（選択）することができる。
【０００６】
請求項２に記載した発明は、選択された複数の前記特定機能に関する情報が、前記表示部に順次表示されることを特徴とする。
このように構成することで、複数の特定機能に関しての設定方法などの情報を一つずつ順番に表示部にデモンストレーション表示することができる。
【０００７】
請求項３に記載した発明は、前記機能表示手段により前記特定機能に関する情報が表示されている画面から、その特定機能に対応した設定画面に切り替える画面切替手段を有していることを特徴とする。
このように構成することで、デモ画面で内容を把握した特定機能の設定画面を即座に直接確認することができる。
【０００８】
請求項４に記載した発明は、前記画面切替手段は、前記表示部に表示された専用キーによる入力指示に基づいて実行可能に構成されていることを特徴とする。
このように構成することで、専用キーを押下するだけで、デモ画面に流れている特定機能の設定画面に切り替えることができる。
【０００９】
請求項５に記載した発明は、前記機能表示手段は、前記表示部および操作部を備えた操作表示装置を所定の時間操作しなかった場合に実行されることを特徴とする。
このように構成することで、コンピュータのスクリーンセーバのように、画像形成装置が動作中の場合の待ち時間や画像形成装置のスタンバイ状態の時間などを利用して各特定機能のデモ画面を表示することができる。
【００１０】
請求項６に記載した発明は、前記機能選択手段の設定画面に、前記特定機能に関する情報の表示に要するメモリ容量または時間の少なくともいずれか一方が前記特定機能毎に表示されていることを特徴とする。
このように構成することで、各特定機能のデモ画面の表示に要するメモリ容量（時間）を容易に確認することができる。
【００１１】
請求項７に記載した発明は、前記機能選択手段の設定画面に、前記機能表示手段に利用可能なメモリ容量または時間の少なくともいずれか一方と、既に選択された前記特定機能に関する情報の表示に要するメモリ容量または時間との差分を表示可能に構成されていることを特徴とする。
このように構成することで、デモ画面を表示させたい特定機能を選択しつつ、残りどれ位選択することができるかを、表示部を通して容易に確認することができる。
【００１２】
請求項８に記載した発明は、前記機能選択手段の設定画面に、前記特定機能が全て表示可能に構成され、該特定機能が利用頻度の低い順番に表示されることを特徴とする。
このように構成することで、普段あまり利用しない特定機能を優先的に表示させることができる。
【発明の効果】
【００１３】
請求項１に記載した発明によれば、選択された各特定機能に関しての設定方法などの情報を表示部にデモンストレーション表示することができるため、冊子になっているマニュアルなどを読むことなく表示部のデモ画面を通じて設定方法（操作方法）などを理解することができる効果がある。また、予めデモンストレーション表示を実行するためのメモリ容量（時間）を装置本体で設定し、それに合わせて表示させる内容を設定（選択）することができるため、デモ画面を見たい特定機能をメモリ容量（時間）に応じて適切に選択することができる効果がある。
【００１４】
請求項２に記載した発明によれば、複数の特定機能に関しての設定方法などの情報を一つずつ順番に表示部にデモンストレーション表示することができるため、冊子になっているマニュアルなどを読むことなく表示部のデモ画面を通じてより多くの特定機能の設定方法（操作方法）などを理解することができる効果がある。
【００１５】
請求項３に記載した発明によれば、デモ画面で内容を把握した特定機能の設定画面を即座に直接確認することができるため、使用者がその特定機能の操作方法を実践して、理解し易くすることができる効果がある。
【００１６】
請求項４に記載した発明によれば、専用キーを押下するだけで、デモ画面に流れている特定機能の設定画面に切り替えることができるため、使用者が容易にその機能の操作方法を実践して、理解し易くすることができる効果がある。
【００１７】
請求項５に記載した発明によれば、コンピュータのスクリーンセーバのように、画像形成装置が動作中の場合の待ち時間や画像形成装置のスタンバイ状態の時間などを利用して各特定機能の情報を表示することができるため、使用者が効率よく各機能の操作方法などを理解することができる効果がある。
【００１８】
請求項６に記載した発明によれば、各特定機能のデモ画面の表示に要するメモリ容量（時間）を容易に確認することができるため、複数の特定機能の中からどの特定機能を選択すれば、どれくらいのメモリ容量（時間）を要するかを容易に確認することができる効果がある。
【００１９】
請求項７に記載した発明によれば、デモ画面を表示させたい特定機能を選択しつつ、残りどれ位選択することができるかを、表示部を通して容易に確認することができるため、装置本体内に設定されているデモ画面表示用のメモリ容量（時間）に対して適切なメモリ容量（時間）を有した特定機能に関する情報（デモ画面）を確実に選択することができる効果がある。
【００２０】
請求項８に記載した発明によれば、普段あまり利用しない特定機能を優先的に表示させることができるため、使用者がこれまで知らなかった特定機能や複雑な操作で利用することがなかった特定機能などを選択し易くすることができ、それらの操作方法などをより効率的に理解することができる効果がある。
【発明を実施するための最良の形態】
【００２１】
次に、本発明の実施形態を図１〜図７に基づいて説明する。なお、本実施形態では、画像形成装置を、複数の機能を有する複合機に採用した場合についての説明をする。
図１に示すように、複合機１は、後述する画像記憶部、画像処理部、印刷部および制御部などを備えた複合機本体３が下部に構成されている。複合機本体３の上部手前側に複合機１の複数の機能の各種操作を実行するための操作部５と、透明電極からなるタッチパネル７が全面に配された表示部９とを備えた操作表示装置１１が構成され、複合機本体３の上部で操作表示装置１１以外の部分には、原稿を自動的に給紙するための自動原稿送り装置（ＡＤＦ）１３と、原稿を読み取るためのスキャナ部１５とを備えた画像読取部１７が構成されている。複合機１は、コピー、プリンタ、ファクスおよびスキャナの機能を有している。
【００２２】
図２に示すように、操作表示装置１１は、操作部５と表示部９とを備えている。操作部５は、使用者による各種の操作指示を受け付け（要求に応じて）、当該操作指示内容を制御部３３に出力する複数のボタン１９で構成されたものである。ボタン１９は、コピー作業やファクス送信作業などを起動するスタートキー１９ａ、コピー枚数やファクスの電話番号などを設定するテンキー１９ｂ、初期設定画面を起動などするファンクションキー１９ｃなどで構成されている。
【００２３】
また、表示部９はカラーまたはモノクロ液晶ディスプレイ（ＬＣＤ）で構成されており、制御部３３から入力された表示指示に基づいて各種画像、文字、図形などで各種情報が表示される。また、使用者が表示部９に表示された各機能キーに触れることによってタッチパネル７が機能し、入力された操作指示内容が制御部３３に出力されるように構成されている。
【００２４】
図３に示すように、複合機１は、主に操作部５、表示部９、画像読取部１７、画像記憶部２７、画像処理部２９、印刷部３１および制御部３３などで構成されている。操作部５および表示部９は、上述の通り制御部３３と通信可能に接続されており、複数の機能の各種操作に対する送受信が行われるように構成されている。
【００２５】
画像読取部１７は、自動原稿送り装置（ＡＤＦ）１３とスキャナ部１５とを備えている。このような画像読取部１７は、制御部３３による制御の下に、自動原稿送り装置１３から供給された原稿がガラス面上に送られ、複合機本体３に内蔵されたスキャナ部１５にて原稿の画像を順次読み取り、原稿画像の色彩を表すカラー画像データを画像記憶部２７に出力可能に構成されている。
【００２６】
画像記憶部２７は、ハードディスクなどの外部記憶装置或いは／および半導体メモリなどで構成されており、画像読取部１７から入力された原稿画像のカラー画像データを記憶する。この画像記憶部２７は、制御部３３による制御の下に、読み取られた原稿画像のカラー画像データの書き込みを行うと共に、当該カラー画像データを読み出して画像処理部２９に出力可能に構成されている。
【００２７】
画像処理部２９は、制御部３３による制御の下に、画像記憶部２７から入力されたカラー画像データを印刷用のデータに変換して印刷部３１に出力可能に構成されている。
印刷部３１は、制御部３３による制御の下に、印刷紙を搬送しつつ当該印刷紙にトナーを付着させることにより、上記カラー画像データに基づいて原稿画像を印刷紙上に出力する印刷手段として構成されている。
【００２８】
制御部３３は、操作部５或いは表示部９のタッチパネル７から入力される操作指示、内部メモリに記憶された制御プログラムおよび各種制御用データなどに基づいて、複合機１の全体動作を制御するものである。即ち、制御部３３は、上記操作指示、制御プログラムおよび各種制御用データなどに基づいて制御演算を行うＣＰＵ（Ｃｅｎｔｒａｌ  Ｐｒｏｃｅｓｓｉｎｇ  Ｕｎｉｔ）および他の各部（例えば、操作部５、表示部９、画像読取部１７、画像記憶部２７、画像処理部２９および印刷部３１）とのデータ授受を行う各種入出力インタフェース回線などで構成されており、上記他の各部を統括的に制御することによって、コピーやスキャナの機能を使用して画像読取部１７が読み取った原稿画像を印刷部３１より印刷したり、外部から受信した原稿データをプリンタとして印刷したり、または受信したファクスデータを印刷できるようになっている。
【００２９】
次に、操作表示装置１１と制御部３３との間の構成について図４を用いて詳細に説明する。
図４に示すように、制御部３３には、所定のプログラムに基づいて表示部９の表示方法を制御する表示制御ＣＰＵ４５と、所定のプログラムおよびデータが格納されるＲＯＭ４７と、各種データなどが一時的に保管されワーキングエリアとして機能するＲＡＭ４９が備えられている。
【００３０】
表示制御ＣＰＵ４５、ＲＯＭ４７およびＲＡＭ４９から得られたデータや操作信号は、液晶表示画面を構成する表示部９への表示データを展開するＶＲＡＭ５１および入出力ポート６３と通信可能に構成されている。
【００３１】
また、ＶＲＡＭ５１には、表示データに基づいて表示部９を駆動する液晶ドライバ５３が通信可能に構成され、液晶ドライバ５３により操作表示装置１１の表示部９に必要な画像が表示されるように構成されている。
【００３２】
更に、タッチパネル７は、使用者が押下したタッチパネル７の位置を検出する位置検出部５５と通信可能に構成されている。タッチパネル７上のある一点を押下すると、タッチパネル７に設けられた抵抗により、縦方向および横方向の座標を位置検出部５５にて検出可能に構成されている。
【００３３】
また、スタートキー１９ａ、テンキー１９ｂまたはファンクションキー１９ｃなどの各種ボタン１９の背面に配置されたＬＥＤなどで構成される個別表示素子５７に対して出力可能に構成されたドライバ回路５９と、スタートキー１９ａ、テンキー１９ｂまたはファンクションキー１９ｃなどの各種ボタン１９からの操作信号が入力されるバッファ回路６１とが構成されている。
【００３４】
入出力ポート６３は、位置検出部５５およびバッファ回路６１からの信号を入力可能に構成され、ドライバ回路５９へ信号を出力可能に構成されており、さらに、表示制御ＣＰＵ４５と入出力可能に構成されている。
【００３５】
表示画面は、表示部９とタッチパネル７とを備えて構成されている。タッチパネル７が押圧されると、位置検出部５５で検出された位置情報が入出力ポート６３を介して表示制御ＣＰＵ４５に入力され、表示制御ＣＰＵ４５によりＶＲＡＭ５１に展開されている表示データに基づいてどの機能キーが選択されたかが判断される。液晶ドライバ５３はＶＲＡＭ５１に展開された表示データに基づいて表示部９を駆動する。これらの動作により、表示画面にある機能キーの入力があるとプログラムに基づいて表示画面の表示が更新制御されるように構成されている。
【００３６】
ここで、ＲＯＭ４７には、複合機１の各種機能の内容や操作方法などを説明するデモ画面データが複数保存されている。このデモ画面データは、表示部９へ表示され、使用者に対して各種機能の内容や操作方法などを理解してもらうことができるような画面データである。このデモ画面データは、機能毎に独立しており、一つの機能のデモ画面データのみを読み出すこともでき、また、複数の機能のデモ画面データを読み出すこともできるように構成されている。一つの機能当たりのデモ画面データは、数秒から数十秒で構成されている。
また、ＲＯＭ４７から読み出されたデモ画面データは、一度ＲＡＭ４９などに保管され、ＲＡＭ４９から当該データを読み出して、表示部９に表示されるように構成されている。
【００３７】
次に、表示部９へ表示されるデモ画面の表示映像について図５を用いて説明する。
図５に示すように、デモ画面７１は表示部９の略中央部に表示される。デモ画面７１は、表示部９を縮小した画面を表示することなどが可能に構成されており、ある特定機能を使用する際には、どのキーを押せばその特定機能を使用することができるか、また、ある特定機能の詳細な設定を行うにはどのキーを押せばよいか、などの方法が分かるように順序立てて説明される（機能表示手段）。また、その特定機能を用いるとどのような効果があるかもデモ画面７１にて表示可能に構成されている。
【００３８】
なお、デモ画面７１が表示される際に、音声による説明が同時になされるように構成してもよい。また、デモ画面７１で表示されている特定機能を実行するときに押下するキーを分かり易くするために、キーを囲うように表示したり、キーの色を変色させて分かり易くしたり、などするとなお良い。
【００３９】
また、デモ画面７１の下方には、切替キー７３が表示されている。切替キー７３を押下すると、そのとき表示されている特定機能の設定画面へ表示部９を切り替えることができるように構成されている（画面切替手段）。なお、切替キー７３の位置は、デモ画面７１の下方に限らず、表示部９内に表示されていればよい。
【００４０】
つまり、デモ画面７１で表示されている特定機能を即座に実行したいときに切替キー７３を押下すると、その特定機能の設定画面へと表示部９が切り替わり、その特定機能を用いることができる。したがって、通常使用頻度の低い機能などを実際に使用することができる。
【００４１】
次に、デモ画面７１の設定方法（機能選択手段）について図６を用いて説明する。
図６は、どの特定機能のデモ画面７１を表示部９に表示させるかを設定する際の設定画面７５を示すものである。この設定画面７５は、操作部５のボタン１９や表示部９に表示されている機能キーを操作することで表示させることができるように構成されている。
【００４２】
設定画面７５には、その左側に複合機１が有する全ての特定機能が表示された全機能シート７７が構成され、全機能シート７７の右側にはデモ画面７１を表示させる特定機能を表示した登録シート７９が構成されている。また、全機能シート７７と登録シート７９との間には、全ての特定機能の中からデモ画面７１を表示させるために登録シート７９へ登録するための登録キー８１と、一度登録シート７９へ登録した特定機能を登録解除するための登録解除キー８３とが表示されている。
【００４３】
さらに、登録シート７９のさらに右側下方には、複合機１に設定されているデモ画面７１を表示するためのメモリ容量に対して、残りどれ位の余裕があるかを表示する残量表示部８５が構成されている。また、残量表示部８５の下方には、登録シート７９へ特定機能の登録（選択）が完了したときに設定画面を閉じるための決定キー８７が表示されている。
【００４４】
全機能シート７７は、複合機１が有する全ての特定機能が表示されている。複合機１は特定機能を相当数有しているため、上下にスクロール可能なスクロールキー８９が構成されている。また、特定機能の名称が付された特定機能キー９１は押圧可能に構成されており、一度押圧するとキーの色が変色するように構成されており、もう一度押圧するとキーの色はもとの色に戻るように構成されている。さらに、特定機能キー９１の右側には、その特定機能のデモ画面７１を表示させるために要するメモリ容量が表示される容量表示部９３が構成されている。ここで、特定機能キー９１は、ある一定期間の使用頻度の低いものから順番に表示されるように構成されている。使用頻度の低いものを上方に表示させることで、使用頻度の低い特定機能を選択させ易くすることができる。
【００４５】
登録シート７９は、全機能シート７７からデモ画面７１を表示させたい特定機能を選択して、その特定機能を表示可能に構成されている。特定機能を複数選択することができるため、上下にスクロール可能なスクロールキー９５が構成されている。また、特定機能の名称が付された選択特定機能キー９７は押圧可能に構成されており、一度押圧するとキーの色が変色するように構成されており、もう一度押圧するとキーの色はもとの色に戻るように構成されている。さらに、選択特定機能キー９７の右側には、その特定機能のデモ画面７１を表示させるために要するメモリ容量が表示される容量表示部９９が構成されている。
【００４６】
登録キー８１および登録解除キー８３により、デモ画面７１を表示させる特定機能の取捨選択ができるように構成されている。全機能シート７７の特定機能キー９１の一つを押圧すると、その特定機能が選択される。このときその特定機能キー９１が変色する。その状態で登録キー８１を押圧すると、その特定機能が登録シート７９へ登録され、選択特定機能キー９７として表示される。
【００４７】
一方、一度選択して登録シート７９へ表示されている選択特定機能キー９７を押圧して選択し、その状態で登録解除キー８３を押圧すると、登録が解除され、登録シート７９から削除されるように構成されている。
【００４８】
残量表示部８５は、登録シート７９に特定機能が選択されていない状態（未選択状態）において、複合機１に予め設定されたデモ画面７１を表示させる機能のために確保されているメモリ容量が表示されている。登録シート７９へ特定機能を選択すると、その特定機能のデモ画面７１を表示させるために要するメモリ容量を、残量表示部８５に表示されている残量から差し引いて表示するように構成されている。残量表示部８５の残量が０以下になる場合には、表示部９に警告表示したり、警報を発するなどしてそれ以上選択できないことを使用者に認識させるように構成されている。
【００４９】
ここで、全機能シート７７に表示させる特定機能キーを絞り込むために、設定画面７５を表示させる前に、「コピー」、「プリンタ」、「ファクス」および「スキャナ」の中から選択できるように構成してもよい。その場合、一つの機能のみを選択することや、複数の機能を選択することができるように構成されている。また、使用頻度をカウントする期間を設定できるように構成してもよい。例えば、「一年」、「一ヶ月」および「一週間」の中から選択できるように構成してもよい。
【００５０】
また、設定画面７５の最下部には、「決定」と表示された決定キー８７が表示されており、上記特定機能の設定が完了した後に、決定キー８７を押下すると、設定が完了してスタンバイ画面６５へ戻るように構成されている。
さらに、誤って設定画面７５を表示させてしまった際に、もとのスタンバイ画面６５に戻るための「閉じる」と表示されたキャンセルキー９８が表示されている。キャンセルキー９８を押下すると、表示部９がスタンバイ画面６５へと切り替わるように構成されている。
【００５１】
デモ画面７１の表示数（選択数）を少なくすると同一の特定機能のデモ画面７１が何度も繰り返し表示されるようになり、使用者がその特定機能のデモ画面７１を見る確率が高くなり、その特定機能の使用方法などを理解し易くすることができる。逆に、表示数を多くすると多くの特定機能のデモ画面７１が表示され、全く知らない機能やほとんど使用せずに操作方法を忘れている機能などについての理解を深め易くすることができる。
【００５２】
次に、本実施形態の作用について説明する。
図７に示すように、複合機１に電源を入れ、しばらくすると表示部９がスタンバイ画面６５となり、各種操作をすることができる。ここで、スタンバイ画面６５は使用頻度の高いコピー画面としている。なお、スタンバイ画面６５はコピー画面でなく、他機能、例えばファクス画面になるように設定することもできる。
【００５３】
ここで、ある一定時間操作表示装置１１が操作されていないと制御部３３が判断すると、表示部９がスタンバイ画面６５からデモ画面７１に切り替わる。つまり、表示制御ＣＰＵ４５がある一定時間操作表示部１１が操作されていないと判断すると、ＲＡＭ４９に保存されているデモ画面７１のデータを表示するように指示を出し、デモ画面７１のデータがＶＲＡＭ５１へ送られ、ＶＲＡＭ５１でデモ画面７１のデータを展開して液晶ドライバ５３へと送られ、液晶ドライバ５３で表示部９を駆動させて、表示部９にデモ画面７１を表示させる。また、上述の一定時間は、予め操作表示部１１を操作することで例えば５分など、設定することができる。
【００５４】
デモ画面７１が表示されている際に、表示されている特定機能を使用したい場合には、切替キー７３を押下することで、その特定機能の設定画面へと切り替わる。つまり、タッチパネル７を押下することで、位置検出部５５により押下した位置を検出し、その情報が入出力ポート６３を経由して表示制御ＣＰＵ４５へと送られる。表示制御ＣＰＵ４５にて切替キー７３を押下したと判断すると、その時に表示されている特定機能の種類を判断し、その特定機能の設定画面を表示するように指示を出す。表示制御ＣＰＵ４５から送出された指示（情報）は、ＶＲＡＭ５１を経由して液晶ドライバ５３へと送られ、その情報に基づいて、その特定機能の設定画面が表示部９に表示される。
【００５５】
ここで、切替キー７３は押下するときに表示されている特定機能の設定画面へ切り替わるように構成されている。つまり、表示されている特定機能のデモ画面７１が別の特定機能のデモ画面７１に切り替わると、それに合わせて切替キー７３を押下して切り替わる画面も変更されることとなる。
【００５６】
また、表示部９の切替キー７３以外の領域を押下するとスタンバイ画面６５へと戻る。また、操作部５のボタン１９のいずれかを押下することでもスタンバイ画面６５へと戻る。この情報の流れは上述と略同等のため、説明を省略する。
【００５７】
デモ画面７１は、設定画面７５で選択された特定機能についての操作方法などの説明が表示される。複数の特定機能を選択した場合には、順次説明が切り替わりながらその特定機能の操作方法などが表示される。複数の特定機能のデモ画面７１が一通り表示し終わると、再度初めの特定機能のデモ画面７１に戻り、繰り返し表示部９に表示可能に構成されている。
【００５８】
本実施形態によれば、複数の機能を有する複合機１において、複数の機能の設定をするための表示部９を備え、複数の機能の中から要求に応じて特定機能を一または複数選択可能な機能選択手段と、機能選択手段により選択された特定機能に関するデモ画面７１を表示部９に表示する機能表示手段とを有し、特定機能に関するデモ画面７１の表示に要するメモリ容量に基づいて、機能選択手段により特定機能を選択するようにしたため、選択された各特定機能に関しての設定方法などの情報を表示部９にデモ画面７１として表示することができ、冊子になっているマニュアルなどを読むことなく表示部９のデモ画面７１を通じて設定方法（操作方法）などを理解することができる。また、予めデモ画面７１の表示を実行するためのメモリ容量を複合機１で設定し、それに合わせて表示させる内容を設定（選択）することができるため、デモ画面７１を見たい特定機能をメモリ容量に応じて適切に選択することができる。
【００５９】
また、選択された複数の特定機能に関するデモ画面７１が、表示部９に順次表示されるようにしたため、複数の特定機能に関しての設定方法などのデモ画面７１を一つずつ順番に表示部９に表示することができ、冊子になっているマニュアルなどを読むことなく表示部９のデモ画面７１を通じてより多くの特定機能の設定方法（操作方法）などを理解することができる。
【００６０】
また、機能表示手段により特定機能に関するデモ画面７１が表示されている画面から、その特定機能に対応した設定画面に切り替える画面切替手段を有し、その画面切替手段は、表示部９に表示された切替キー７３にて実行可能にしたため、デモ画面７１で内容を把握した特定機能の設定画面を即座に直接確認することができるため、使用者がその特定機能の操作方法を実践して、理解し易くすることができる。また、切替キー７３を押下するだけで、デモ画面７１に流れている特定機能の設定画面に切り替えることができるため、使用者が容易にその特定機能の操作方法を実践して、理解し易くすることができる。
【００６１】
また、機能表示手段は、操作表示装置１１を所定の時間操作しなかった場合に実行されるようにしたため、コンピュータのスクリーンセーバのように、複合機１が動作中の場合の待ち時間や複合機１のスタンバイ状態の時間などを利用して各特定機能のデモ画面７１を表示することができるため、使用者が効率よく各特定機能の操作方法などを理解することができる。
【００６２】
また、機能選択手段の設定画面７５に、特定機能に関するデモ画面７１の表示に要するメモリ容量を特定機能毎に表示するようにしたため、各特定機能のデモ画面７１の表示に要するメモリ容量を容易に確認することができ、複数の特定機能の中からどの特定機能を選択すれば、どれくらいのメモリ容量を要するかを容易に確認することができる。
【００６３】
さらに、機能選択手段の設定画面７５に、機能表示手段に利用可能なメモリ容量と、既に選択された特定機能に関するデモ画面７１の表示に要するメモリ容量との差分を表示可能に構成したため、デモ画面７１を表示させたい特定機能を選択しつつ、残りどれ位選択することができるかを、表示部９を通して容易に確認することができ、複合機１に設定されているデモ画面表示用のメモリ容量に対して適切な容量を有した特定機能に関するデモ画面７１を確実に選択することができる。
【００６４】
そして、機能選択手段の設定画面７５に、特定機能が全て表示可能に構成され、特定機能が利用頻度の低い順番に表示されるようにしたため、普段あまり利用しない特定機能を優先的に表示させることができ、使用者がこれまで知らなかった特定機能や複雑な操作で利用することがなかった特定機能などを選択し易くすることができ、それらの操作方法などをより効率的に理解することができる。
【００６５】
尚、本発明の技術範囲は上述した実施形態に限られるものではなく、本発明の趣旨を逸脱しない範囲において種々の変更を加えることが可能である。すなわち、本実施形態で挙げた具体的な方法などは一例に過ぎず、適宜変更が可能である。
例えば、本実施形態においては、複合機の場合の説明をしたが、複写機やファクス専用機など様々な機能を有する画像形成装置に採用することができる。
また、本実施形態においては、容量表示部および残量表示部にメモリ容量を表示するようにしたが、代わりに時間を表示するようにしてもよいし、メモリ容量と時間とを両方表示するようにしてもよい。
【図面の簡単な説明】
【００６６】
【図１】本発明の実施形態における複合機の斜視図である。
【図２】本発明の実施形態における操作表示装置の斜視図である。
【図３】本発明の実施形態における複合機のブロック図である。
【図４】本発明の実施形態における制御部と操作表示装置との関係を示すブロック図である。
【図５】本発明の実施形態におけるデモ画面が表示されたときの表示部の説明図である。
【図６】本発明の実施形態における設定画面の説明図である。
【図７】本発明の実施形態におけるスタンバイ画面の説明図である。
【符号の説明】
【００６７】
１…複合機（画像形成装置）  １１…操作表示装置  ７１…デモ画面（特定機能に関する情報）  ７３…切替キー（専用キー）  ８５…残量表示部  ９３，９９…容量表示部
【図１】
2008191452.tif 000003
【図２】
2008191452.tif 000004
【図３】
2008191452.tif 000005
【図４】
2008191452.tif 000006
【図５】
2008191452.tif 000007
【図６】
2008191452.tif 000008
【図７】
2008191452.tif 000009